(57)【特許請求の範囲】
【請求項１】
毛を切断するための刃ヘッド部と、この刃ヘッド部の下方に連結されるグリップ部とからなり、刃ヘッド部は毛が導入される多数の開口を形成した外刃と、外刃の内側に摺接する内刃と、内刃を駆動するモータとを備え、刃ヘッド部が左右に揺動し得るように刃ヘッド部をグリップ部に揺動自在に連結し、刃ヘッド部が揺動する揺動中心が刃ヘッド部の重心位置より下側に設けられた電気かみそりであって、刃ヘッド部の前後両側にヘッド支持部材を設け、各ヘッド支持部材を刃ヘッド部に対して前後軸を回転中心として回転自在に結合するとともに、各ヘッド支持部材を上方にばね付勢させながらグリップ部に上下動自在に支持させることで、刃ヘッド部をグリップ部に対して揺動自在且つ上下動自在に連結させて成ることを特徴とする電気かみそり。
【請求項２】
外刃に対して内刃が左右に摺動するように内刃を摺接させると共に内刃をモータにて左右に往復駆動する往復式としたことを特徴とする請求項１記載の電気かみそり。
【請求項３】
刃ヘッド部の左右方向の幅がグリップ部の上部の左右方向の幅よりも大きくされていることを特徴とする請求項１または請求項２記載の電気かみそり。
【請求項４】
ヘッド支持部材を１つの面に対して２つ以上設けたことを特徴する請求項１乃至３のいずれか一項記載の電気かみそり。
【請求項５】
刃ヘッド部が回転する方向のヘッド支持部材間のピッチを刃ヘッド部の全幅の半分以下としたことを特徴とする請求項４記載の電気かみそり。
【請求項６】
グリップ部の左右方向と直交する方向を前後方向とし、グリップ部の前後面の上端から刃ヘッド部の前後面にオーバーラップする突出面を形成したことを特徴とする請求項１乃至５のいずれか一項記載の電気かみそり。
【請求項７】
突出面の内面に刃ヘッド部の支持を行う支持部を形成したことを特徴とする請求項６記載の電気かみそり。
【請求項８】
前後のヘッド支持部材を一体としたことを特徴とする請求項１乃至７のいずれか一項記載の電気かみそり。
【請求項９】
グリップ部の左右方向と直交する方向を前後方向とし、グリップ部の前後面上端から刃ヘッド部の前後面にオーバーラップする突出面を形成し、刃ヘッド部とグリップ部を連結させるヘッド支持部材とは別に、突出面と刃ヘッド部の前後方向のガイドを行うためのガイド部材を設けたことを特徴とする請求項１乃至８のいずれか一項記載の電気かみそり。
【発明の詳細な説明】
【０００１】
【発明の属する技術分野】
本発明は、刃ヘッド部がグリップ部に対して動くことにより肌に密着して毛剃りができるようにした電気かみそりに関するものである。
【０００２】
【従来の技術及び発明が解決しようとする課題】
従来、早剃りの性能の向上を目的として、刃ヘッド部に複数箇所の剃り部を設け、刃ヘッド部がグリップ部となる本体に対して動くことにより、肌に密着できるようにした技術は数多く提案されている（例えば、特許文献１、特許文献２、特許文献３、特許文献４参照）。
【０００３】
【特許文献１】
特開平１０−４３４４３号公報
【０００４】
【特許文献２】
特開平６−３４３７７６号公報
【０００５】
【特許文献３】
国際公開第００／３８８９１号パンフレット
【０００６】
【特許文献４】
特開平４−２６９９２号公報
特許文献１では、肌面の左右方向及び上下方向の変化に対して追従を向上させることを目的として、モータと刃ヘッド部を一体としてグリップ部に対して左右、上下動自在に支持されている。しかしながら、この構成においては、刃ヘッド部と一体となったモータ部が、グリップに対して下の方まで入り込んでおり、そのため左右方向に大きく回転させようとした場合には、モータ部がグリップ部のグリップケースの内面に当ってしまうために、左右方向の回転角度は僅かにしか確保できないという問題を有している。またモータ部より上の位置を中心に左右に揺動するようになっているため、刃ヘッド部を揺動させるとき揺動中心より下方の質量が刃ヘッド部の揺動の妨げとなり、肌面に合わせて刃ヘッド部の剃り部を追従させることが困難である。
【０００７】
また特許文献２では、モータと刃ヘッド部を一体として、グリップ部に対して左右回転自在に支持されている。この例では、刃ヘッド部の左右回転に伴ってモータが移動してもモータがグリップ部のグリップケース内で移動が十分にできるようにグリップ部の幅を相当大きくしているが、刃ヘッド部より大きなグリップ部となってしまうために非常に持ちにくく、そのため剃りにくいものとなってしまっている。また左右の回転する時の回転の仮想中心を刃面付近とするため、刃ヘッド部の下部がグリップ部の円弧状レールに沿って滑る構成になっていることにより、回転中心から離れた位置で摩擦力が働いてしまい、刃ヘッド部の動きに対して抵抗力が大きくなり、肌への追従を妨げてしまうという問題がある。
【０００８】
また特許文献３では刃ヘッド部のヘッドケース内にモータを配置し、刃ヘッド部上端付近に設けた回転軸を中心として前後方向に回転自在に支持されているものである。しかしながらこの構成においては、ヘッドケース内のモータは必然的に相当の質量を有するため、刃ヘッド部の回転に対して回転中心とモータの重心位置の距離に応じてその重量が抵抗となって働き、肌への追従性が非常に悪いものとなっている。
【０００９】
特許文献４では、肌面の左右方向及び上下方向の変化に対して追従を向上させることを目的として、モータと刃ヘッド部を一体としてグリップ部に対して左右に回転自在に支持されている。しかしながら、この構成においては、刃ヘッド部と一体となったモータ部が、グリップに対して下の方まで入り込んでおり、そのため左右方向に大きく回転させようとした場合には、モータ部がグリップ部のグリップケースの内面に当ってしまうために、左右方向の回転角度は僅かにしか確保できないという問題を有しており、またモータは相当の質量を有するものであるが、刃ヘッド部の回転中心はモータの上端の近傍に位置するものであるため刃ヘッド部の重心位置より上に位置し、刃ヘッド部が回転するとき回転中心より下の質量が大きくて刃ヘッド部の回転の抵抗となり、肌へ追従性が悪いという問題がある。
【００１０】
本発明は上記の点に鑑みてなされたものであり、どのような剃り方をしても刃ヘッド部の剃り部を肌にスムーズに追従させることができ、髭の剃り残しの少ない電気かみそりを提供することを課題とするものである。
【００１１】
【課題を解決するための手段】
上記課題を解決するための本発明の電気かみそりは、毛を切断するための刃ヘッド部と、この刃ヘッド部の下方に連結されるグリップ部とからなり、刃ヘッド部は毛が導入される多数の開口を形成した外刃と、外刃の内側に摺接する内刃と、内刃を駆動するモータとを備え、刃ヘッド部が左右に揺動し得るように刃ヘッド部をグリップ部に揺動自在に連結し、刃ヘッド部が揺動する揺動中心が刃ヘッド部の重心位置より下側に設けられた電気かみそりであって、刃ヘッド部の前後両側にヘッド支持部材を設け、各ヘッド支持部材を刃ヘッド部に対して前後軸を回転中心として回転自在に結合するとともに、各ヘッド支持部材を上方にばね付勢させながらグリップ部に上下動自在に支持させることで、刃ヘッド部をグリップ部に対して揺動自在且つ上下動自在に連結させて成ることを特徴とする。
【００１２】
このように刃ヘッド部の重心付近よりも下で刃ヘッド部全体を揺動自在に支持することにより、刃ヘッド部全体の質量が揺動を助ける力となって働くために、少ない肌への押し付け力であっても刃ヘッド部の揺動がスムーズに行われる。従って、どのような剃り方をしても刃ヘッド部の剃り部を肌にスムーズに追従させることができ、髭の剃り残しを少なくできる。また上記のようにグリップ部に対する刃ヘッド部の揺動をスムーズに行えることによりグリップ部の握る向きを変えたりしなくても、肌に沿って追従させることができて髭剃り時に腕に負担を掛けたりすることなく楽にできる。
【００１３】
加えて、各ヘッド支持部材を刃ヘッド部に対して前後軸を回転中心として回転自在に結合するとともに、各ヘッド支持部材を上方にばね付勢させながらグリップ部に上下動自在に支持させることで、刃ヘッド部をグリップ部に対して揺動自在且つ上下動自在に連結させてあるので、前後両側のヘッド支持部材により確実に刃ヘッド部を支持しながらも、肌への追従性を向上すると共に、肌への衝撃を緩和することにより肌当りを柔らかくし、滑らかな剃り心地が得られる。なお、刃ヘッド部は、前後軸を回転中心とする回転と上下動以外の動きには確実に規制されるために、簡単な構成でスムーズな刃ヘッド部の動きを実現できるものである。
【００１４】
【発明の実施の形態】
先ず、図１乃至図９の実施の形態の例に基づいて詳述する。図１乃至図５に全体の構成を示す。図１に示すように本発明の電気かみそりは、毛を剃る刃ヘッド部としての刃ヘッドブロック１、手で持つグリップ部としてのグリップブロック２と、トリマーとしてのトリマーブロック３とにより構成されており、グリップブロック２の上端付近に刃ヘッドブロック１を支持する部材が配置されている。
【００１５】
刃ヘッドブロック１の構成について、図２に基づいて詳述する。刃ヘッドブロック１は、大きくリニアモータよりなるモータ４、内刃５、外刃ブロック６、モータ４を収納保持するヘッドケース７から構成されており、リニアモータよりなるモータ４の左右方向の振動がその先端の駆動子２４によって内刃５に伝えられて、内刃５と外刃ブロック６の外刃８とが互いに摺動することにより、外刃８の開口として刃穴に入った髭をカットするようになっている。
【００１６】
リニアモータよりなるモータ４はヘッドケース７内に下から挿入され、上から駆動子防水ゴム９とゴム押さえ板１０を介してねじ１１で固定されている。ヘッドケース７の下からヘッドケース下カバー１２が嵌め込まれ、下側からねじ１３を螺入することによりヘッドケース７にヘッドケース下カバー１２が固定されている。これによりモータ４を内蔵した防水構造の１つの箱体として構成される。モータ４の下側から延びているリード線１４は、モータ４を駆動させるためにその先端部がグリップブロック２内の駆動回路１５に結合されるものであり、ヘッドケース下カバー１２の穴１６を通って下側に露出した状態でヘッドケース下カバー１２に固定されている。
【００１７】
ヘッドケース７の長手方向の両端面には、着脱釦ばね１７と着脱釦１８が配置され、着脱釦１８の係合突起１９がヘッドケース７とヘッドケース下カバー１２の切欠部２０間に挟まれることにより着脱釦１８が回転自在に支持され、着脱釦ばね１７にて着脱釦１８が外側に付勢された状態になっている。ヘッドケース７の上面中央部の穴から突出したモータ４の駆動子２４には、スリット駆動杆４４、トリマー駆動杆２１、内刃押し上げばね２２が固定され、その内刃５が上方に付勢された状態で駆動子２４に結合している。
【００１８】
外刃ブロック６には３つの外刃８が前後方向に並べて装着されている。この外刃８はネット刃８ａ、スリット刃８ｂ、ネット刃８ｃで構成されている。これらの外刃８は独立にフロート可能となるように、枠形状の保持部材（図示省略）により保持されている。外刃ブロック６のカバー体６０は前カバー体６０ａと中央カバー体６０ｂと後カバー体６０ｃとで構成され、これらに夫々ネット刃８ａ、スリット刃８ｂ、ネット刃８ｃが装着されている。そして前カバー体６０ａと中央カバー体６０ｂと後カバー体６０ｃが独立して上下動すると共に左右に揺動し得るように結合してあり、ネット刃８ａ、スリット刃８ｂ、ネット刃８ｃが夫々自在に動き得るようにしてある。外刃ブロック６の左右方向の両端に設けられた係合穴（図示省略）と、着脱釦１８の上部の係合突起２３が係合することにより、外刃ブロック６はヘッドケース７に対して着脱自在に保持されている。外刃ブロック６をヘッドケース７に装着した状態で内刃押し上げばね２２の力で内刃５がネット刃８ａ，８ｃに押し付けられ、ネット刃８ａ、スリット刃８ｂ、ネット刃８ｃが前カバー体６０ａ、と中央カバー体６０ｂ、後カバー体６０ｃと一緒に上下にフロート自在になっている。
【００１９】
次にグリップブロック２について、図１、図４、図５に基づいて詳述する。グリップケース２５は前側のグリップケース２５ａと後側のグリップケース２５ｂとに分割されており、前後のグリップケース２５ａ，２５ｂを結合した状態において、その下側が防水的に密封された箱体を形成している。このように箱体状に組み立てられたグリップケース２５内には電池２６、駆動回路１５、スイッチ釦２７と、それらを保持する基台２８が固定されている。前後のグリップケース２５ａ，２５ｂを組み立てたとき、その背面部からねじ２９により固定される。グリップケース２５の箱体状に密封された部分の上面部より上側には、刃ヘッドブロック１を支持する部材が配置されている。
【００２０】
次に刃ヘッドブロック１を支持する部位の構成について詳述する。ヘッド支持ブロック３０は前後に配置したヘッド支持部材３１を連結部３２で連結することによりコ字状に形成されている。このヘッド支持部材３１の上の先端部には穴３３が設けられている。一方、ヘッドケース７の前後面には、夫々２箇所、計４箇所の前後方向に突出する突起部３４が設けられている。前後の突起部３４は、夫々正面から見た場合に同軸上となる位置に形成されている。ヘッド支持ブロック３０は左右に各1個ずつ配置されており、夫々ヘッド支持部材３１の上部の穴３３がヘッドケース７の突起部３４に対して回転自在に嵌合しており、ヘッド支持ブロック３０がヘッドケース７を下側から前後に挟み込む状態で結合している。左右に設ける一対のヘッド支持部材３１の穴３３のうち少なくとも一方の穴３３は左右に長い長穴となっており、これによりヘッド支持部材３１を後述のようにガイド溝３６でガイドしていてもヘッドケース７側が揺動し得るようになっている。
【００２１】
前後のグリップケース２５ａ，２５ｂの前後面を上方に延長することで上方に突出する突出面３５を設けてあり、突出面３５の内側には上下方向にガイド溝３６を凹設してある。ヘッド支持ブロック３０は前後のグリップケース２５ａ，２５ｂの突出面３５間に挟まれるように配置されており、各ヘッド支持ブロック３０のヘッド支持部材３１をガイド溝３６に嵌合することでヘッド支持ブロック３０が上下動自在に保持されており、フロートばね３７をグリップケース２５ａ，２５ｂ上面とヘッド支持ブロック３０との間に配置することによりヘッド支持ブロック３０が上方にばね付勢されている。このようにヘッド支持ブロック３０を装着することにより、刃ヘッドブロック１はグリップケース２５に対して、左右に回転自在に且つ、上下動自在に結合される。
【００２２】
上記フロートばね３７の上端は刃ヘッドブロック１の下面に設けられた係合突起５９に係合している。このフロートばね３７には前側のフロートばね３７ａと後側のフロートばね３７ｂがあって、前側と後側とによりフロートばね３７の下端の係合する箇所が異なる。後側の２つのフロートばね３７ｂの下端は後側のグリップケース２５ｂの上面に設けられた係合突起３８に係合しており、前側のフロートばね３７ａの下端は図１、図９に示すように前側のグリップケース２５ａに対して上下動自在にガイドされたフロートばね受け３９の係合突起４０に係合している。
【００２３】
フロートばね受け３９の前側には、前方に突出する係合突起４１が設けられており、その先端は前側のグリップケース２５ａの突出面３５を通って、前側のグリップケース２５ａの突出面３５の前面に配置した調整ダイアル４２の後面に形成されたガイド溝４３に係合している。調整ダイアル４２を前面に配置した突出面３５の後面にはダイアル止め４５を配置してあり、ダイアル止め４５からねじ４６が突出面３５を介して調整ダイアル４２に螺合されて調整ダイアル４２が回転自在に保持されている。フロートばね受け３９にはガイド溝４７が設けられ、前側のグリップケース２５ａに設けたガイドリブ４８にガイド溝４７が上下に摺動自在に嵌合され、フロートばね受け３９が上下動以外の動きが規制されて上下動自在になっている。このように構成したことにより、調整ダイアル４２の回転がフロートばね受け３９の上下動に変換され、フロートばね３７ａのばね力を調整できるようになっている。
【００２４】
モータ４に取り付けられたリード線１４はゴムチューブ５０に貫通させた状態で、後側のグリップケース２５ｂの上面に設けられたリード線筒穴５１に貫通させられ、グリップケース２５内の駆動回路１５に結合されている。ゴムチューブ５０の上端はヘッドケース下カバー１２に設けられた下側に突出する筒穴に圧入により係止され、一方ゴムチューブ５０の下端は後側のグリップケース２５ｂの上面のリード線筒穴５１に係止されている。この結合により、電源となる電池２６から、駆動回路１５、リード線１４を経て、モータ４に結合され、モータ４を駆動できるようになっている。またリード線１４は上記のようにヘッドケース７の下面とグリップケース２５の上面との間に配線され、左右方向の中央付近にて各ケースと結合しているために、電線の動きを最小限にすることができ、電線のたわみ疲労が低減されて断線などの信頼性低下を防止できると共に刃ヘッドブロック１の動きに対して余計な抵抗力を与えないため、刃ヘッドブロック１の剃り部（外刃８の部分）の追従性を向上できる。
【００２５】
ヘッドケース７の前面には前方に突出し、且つその先端が下に突出した略逆Ｌ字状の突起片５２が形成されている。この突起片５２がヘッド係止部材５３の係合穴５４に貫通させられ、突起片５２の下方に突出した部分とヘッドケース７の前面とによりヘッド係止部材５３を前後に挟み込んだ状態で、ヘッド係止部材５３が前側のグリップケース２５ａの上方への突出面３５の上部に設けられたガイド溝５５に下側から嵌め込まれて、ヘッド係止部材５３が上下動自在になるように保持される。ヘッド係止部材５３の左右に突出した突起部５６がガイド溝５５の両側の縁部５５ａに係止することにより互いに前後方向に保持される。
【００２６】
トリマーブロック３は後側のグリップケース２５ｂの後側から取り付けフック５７によりフック結合され、トリマーブロック３を上方向にスライドすることにより、刃ヘッドブロック１の駆動子２４がトリマー駆動杆２１と結合し、トリマー刃が駆動されるようになっている。
【００２７】
図４、図６、図７、図８に正面からの刃ヘッドブロック１の動作図を示す。肌への押し付けにより、外刃８に外力が加わると、刃ヘッドブロック１全体がその力の大きさ、向きに応じて、動くことが可能となる。すなわち外刃８に与えられた外力は、ヘッドケース７に伝わり、その力がヘッド支持部材３１をばね力に抗して押し下げるのである。
【００２８】
このとき、刃ヘッドブロック１の回転中心はヘッドケース７から前後方向に突出する突起部３４となるが、この位置が刃ヘッドブロック１の上方にある場合には刃ヘッドブロック１の重心より高くなるため、回転による重心移動が上方向となるために、刃ヘッドブロック１の追従性が悪いものとなってしまう。刃ヘッドブロック１の重心はほぼ内蔵されているモータ４の位置により決定されるが、この刃ヘッドブロック１の重心位置（図４の符号Ｇに示す位置）より回転中心（揺動中心）が下側に位置するため、刃ヘッド部全体の質量が揺動を助ける力となって働くために、肌への押し付け力を助ける方向の力となって働き、刃ヘッドブロック１の追従性をよくできる。ヘッド支持部材３１は前後のグリップケース２５ａ、２５ｂのガイド溝３６により前後、左右方向にガイドされているため、刃ヘッドブロック１全体のがたつきがなく、スムーズな刃ヘッドブロック１の動きが可能となる。上記のように刃ヘッドブロック１の重心位置より下に回転中心（揺動中心）が設けられるのであるが、この回転中心の位置とは結果的にヘッドケース７内のモータ４と回転軸方向に重なりある位置またその下側の位置である。
【００２９】
また図８に示すように、刃ヘッドブロック１は真っ直ぐ下方向に下がることも可能になっている。これにより上下動と左右回転が組み合わさった動きとなり、肌の動きに追従するだけでなく、肌の凹凸を刃ヘッドブロック１の剃り部が乗り越える時の衝撃も吸収でき、肌当りを大きく向上させることができる。
【００３０】
また刃ヘッドブロック１は全てグリップケース２５の上面よりも上方に位置しているため、刃ヘッドブロック１の回転により干渉する箇所がないため、非常に大きな追従角が得られる。また刃ヘッドブロック１とグリップケース２５との間の隙間は左右方向の端部に行くに従って広がるように構成されており、且つ、刃ヘッドブロック１の左右方向の幅がグリップブロック２の上端部の左右方向の幅より大きく構成されており、これらの構成によっても、刃ヘッドブロック１の回転時にグリップケース２５との干渉がなく、大きな追従角を得ることができる。
【００３１】
またヘッド支持部材３１を１つの面（前面や後面）に対して２つ以上設けたために、刃ヘッドブロック１への外力がない状態において、常に刃ヘッドブロック１の傾きを中立に保つことが可能となり、肌に対しての当て角が安定するものである。また左右のヘッド支持部材３１のピッチをヘッドケース７の全幅の半分以下としたために、上方に刃ヘッドブロック１を付勢するばね力が回転力に及ぼす力を小さくすることができ、肌への追従性を向上させることができる。
【００３２】
また刃ヘッドブロック１の回転方向を前後軸回りとし、グリップケース２５の前後面にオーバーラップする突出面３５を形成したために、刃ヘッドブロック１の高さが高い場合にもグリップブロック２を握っている手の指が当ったりすることなく、スムーズな刃ヘッドブロック１の動きを実現できる。また突出面３５の内面にヘッドケース７の支持を行う支持部を形成したために、刃ヘッドブロック１の回転支持部近辺にてヘッド支持部材３１をガイドすることができ、グリップブロック２に対する刃ヘッドブロック１のガタツキ等を抑えることができる。またヘッド支持部材３１を前後の両側に設けたために、より確実に刃ヘッドブロック１を支持することができる。また前後のヘッド支持部材３１を連結部３２で連結して一体にしたために、前後のガタツキなく刃ヘッドブロック１を支持することができる。またヘッド支持部材３１とは別に、突出面３５とヘッドケース７の前後方向のガイドを行うためのガイド部材としてヘッド係止部材５３を設けたために、片側の突出面３５に対して前後方向の位置決めを確実に行えるようになり、前後方向のガタツキを低減することができる。
【００３３】
またヘッドケース７とグリップケース２５を夫々防水構造とし、各ケースを結合する配線としてリード線１４の周囲を弾性を有するゴムチューブ５０で覆う構成としたことにより、簡単で且つ信頼性の高い防水構造とすることができる。またヘッド支持部材３１と、刃ヘッドブロック１の上方付勢のためのばね部材をヘッドケース７とグリップケース２５の外側に配置したことにより、可動部分を防水構造の部分の外側とすることができるため、防水の信頼性を向上させることができる。
【００３４】
次に図１０乃至図１６に示す実施の形態の例について述べる。
【００３５】
図１０乃至図１２に示すように電気かみそりは、髭を剃る刃ヘッド部としての刃ヘッドブロック１と、手で握るグリップ部としてのグリップブロック２と、トリマーブロック３とにより構成されており、グリップブロック２内の上端付近に刃ヘッドブロック１を支持する部材が配置されている。グリップブロック２と刃ヘッドブロック１との間にはフロート機構ブロックが形成されている。
【００３６】
まず、刃ヘッドブロック１の構成について、図１２乃至図１４に基づいて詳述する。刃ヘッドブロック１は大きくリニアモータよりなるモータ４と、内刃５と、外刃ブロック６と、モータ４を収納保持するヘッドケース７と、ヘッドケース上カバー６２から構成されており、モータ４の左右方向の振動がその先端の駆動子２４によって内刃５に伝えられて、内刃５と外刃ブロック６の外刃８とが互いに摺動することにより、外刃８の刃穴に入った髭をカットするものである。モータ４はその下部において、モータ基台６１と一体に結合した状態でヘッドケース７内に上側から挿入され、下側から固定ねじ６３にて固定されている。
【００３７】
ヘッドケース７の上にはヘッドケース上カバー６２、駆動子防水ゴム９、ゴム押さえ板１０が順に配置され、ゴム押さえ板１０からヘッドケース上カバー６２を介してヘッドケース７に固定ねじ６４が螺合されて固定されている。このように固定ねじ６４で固定することにより、モータ４を内蔵した１つの防水構造の箱体として構成されるようになっている。
【００３８】
モータ４の下側から延びている電気配線としてのリード線１４はモータ４を駆動させるためにその先端部がグリップブロック２内の駆動回路に結合されるものであり、ヘッドケース７の下部に設けた穴を通って下側に露出している。ヘッドケース７の長手方向の両端面には、着脱釦１８が着脱釦１８内に内包した着脱釦ばね１７により外側に付勢された状態で取り付けられている。
【００３９】
ヘッドケース上カバー６２の上面中央部の穴から突出したモータ４の駆動子２４には前後からスリット駆動杆４４、トリマー駆動杆２１が取り付けられており、駆動子２４の中には内刃押し上げばね２２がばねストッパー６５により保持されており、その上から内刃５が結合されることにより、内刃５が上方に付勢された状態となっている。
【００４０】
外刃ブロック６には３つの外刃８としてのネット刃８ａ、スリット刃８ｂ、ネット刃８ｃが前後にその順で配置されており、それらはそれぞれが独立にフロート可能になるように外刃ブロック６内の枠形状の保持部材により保持されている。外刃ブロック６内の保持部材の左右方向両端に設けられた係合穴と、着脱釦１８の係合突起２３が係合することにより、外刃ブロック６はヘッドケース７に対して着脱自在に保持されている。
【００４１】
次にグリップブロック２について、図１０、図１２、図１３に基づいて詳述する。グリップブロック２は前後に分割したグリップケース２５ａ，２５ｂを中心に構成されており、前後のグリップケース２５ａ，２５ｂはその間にゴムのリング部材６６を挟んで結合されることにより、その内側に防水可能な箱体を形成すると共に、前後壁が上方に延出した突出面３５を有している。グリップケース２５ａ，２５ｂで形成された防水構造の箱体内には電池２６と回路と、それらを保持するための基台２８が配置されている。前後のグリップケース２５ａ，２５ｂは後側のグリップケース２５ｂの背面からグリップケース２５ｂを介してグリップケース２５ａにねじ２９を螺合することにより固定されている。
【００４２】
前のグリップケース２５ａ前面にはスイッチ部６８を挟み込んだ状態で前面パネル６９がフック結合している。前面パネル６９の前面の上部にはエラスマーよりなる正面弾性板７０がはめ込んで装着してある。後側のグリップケース２５ｂの背面側には後面パネル７１が背面側から固定ねじ６７により結合されていると共に、トリマーブロック３がフック結合されている。トリマーブロック３は上下方向にスライド自在に取り付けられており、そのスライド上部位置において、トリマーブロック３のトリマー駆動子が刃ヘッドブロック１に設けられたトリマー駆動杆２１と結合しトリマーブロック３のトリマー刃が駆動されるようになっている。下部のねじ２９の頭部はねじ穴蓋９２で隠されるようになっている。
【００４３】
ヘッド支持部材３１と連結部３２とからなるヘッド支持ブロック３０はコ字状に形成されており、そのヘッド支持部材３１の上先端部には穴３３が設けられている。一方ヘッドケース７の前後面には、それぞれ２箇所、計４箇所の前後方向に突出する突起部３４が設けられている。前後の突起部３４は、それぞれ正面から見て同軸になる位置に形成されている。前記ヘッド支持ブロック３０は左右に各１個ずつ配置されており、それぞれの上部の穴３３がヘッドケース７の突起部３４に対して回転自在に嵌合すると共にヘッドケース７を下側から前後に挟み込む状態に装着してある。ヘッド支持部材３１は、前後のグリップケース２５ａ，２５ｂの突出面３５に形成されたガイド溝３６にはめ込まれることにより、ヘッドケース７が突出面３５に挟まれた状態で上下動自在に保持されている。この構成により、刃ヘッドブロック１は、グリップケース２５ａ，２５ｂに対して、図１５（ｂ）（ｃ）に示すように左右に回転自在且つ上下動自在に結合されるものである。
【００４４】
ヘッドケース７の前面にはがた止め部材７３が配設されており、がた止め部材７３の前側上端部に設けられて左右に突出する突片７３ａがグリップケース２５の開口部７４を介してグリップケース２５ａの壁を挟み込み、ヘッドケース７が前後方向にがたつかないように保持される。またがた止め部材７３の後面下部には下側に延出する突起部７３ｃが形成されており、後のグリップケース２５ｂの内面に突起部７３ｃが沿わせられており、ヘッドケース７が前後にがたつかないようにされている。
【００４５】
次に、ヘッド支持ブロック３０を付勢するばねブロック７５について説明する。ばねブロック７５は各ヘッド支持ブロック３０に対応して左右に２つ設けられており、１つのばねブロック７５にはコイルばね７６と板ばね７７が上下のばね受け部材７８，７９により保持されている。コイルばね７６は上下のばね受け部材７８，７９に設けられた突起８０で保持されている。板ばね７７は略Ｕ字型に形成されており、その一片の穴部８１が上側のばね受け材７８の突起部を溶着することにより固定されている。下側のばね受け部材７９にはコイルばね７６を挟む位置に２箇所の突出片８２を有しており、その先端のフック８３が上側のばね受け部材７８に設けた穴８４に係合することによりばねブロック７５を組み立ててある。このばねブロック７５がヘッド支持ブロック３０を上方に押し上げるようにグリップケース２５ａ，２５ｂの上部に配置してある。
【００４６】
またヘッド支持ブロック３０が左右に２つ設けられていることの機能は以下の通りである。肌面と異なる角度に刃ヘッドブロック１のヘッド面が押し当てられた場合、ヘッド面の両端部のうち一方が肌に当り、刃ヘッドブロック１を下に下げようとする力が発生する。このときは刃ヘッドブロック１の回転の支点は、肌が当った側と反対側のヘッド支持部材３１と嵌合している軸（突起部３４）となるために力点との距離が大きくなり、刃ヘッドブロック１を回転させるための力が大きくなる。よって肌に接して沿う状態まで刃ヘッドブロック１が軽い力で回転するために肌と外刃８とが密着して、より剃り残しのない電気かみそりを提供できる。
【００４７】
後側のグリップケース２５ｂの片側側面部には扇型の平面部８５と穴８６が形成されており、グリップケース２５ｂ内に配置したレバー軸８６の一端が穴８６に挿通されており、穴８６の外側に配置したレバー操作子８７がレバー軸８６の一端に係合させて装着されている。このとき、レバー軸８６とレバー操作子８７とを別部材として係合させる構造とすることにより、レバー軸８６の挿通を簡単にすることができ、レバー操作子８７を後側のグリップケース２５ｂの平面部８５に配置できる。レバー軸８６は突出部８８を具備しており、レバー操作子８７を操作することによりレバー軸８６が回転し、突出部８８の先端高さが変化してばね受け部材７８の下面や板ばね７７の受け面に作用し、刃ヘッドブロック１の支持特性であるフロート量、フロート力の切り替えを行うようになっている。
【００４８】
またレバー軸８６の長手方向の中央付近には先端に球形状を有する突出部８９が形成されており、クリック部材９０と係合することにより、レバー軸８６の回転位置を位置決めすることが可能になっている。レバー軸８６は前のグリップケース２５ａと後のグリップケース２５ｂが結合される際、クリック部材９０及び下側のばね受け部材７９と後のグリップケース２５ｂとに挟み込んで回転自在に固定される。
【００４９】
モータ４からヘッドケース７の底面の穴を通って下方に延出するリード線１４は防水を維持するゴムチューブ５０に挿通した後にグリップケース２５ａの上面に設けられた穴を通ってグリップケース２５ａ，２５ｂ内の回路に結線される。
【００５０】
上記の図１０乃至図１６に示す例で電気かみそりでも刃ヘッドブロック１の重心位置（図１５の符号Ｇの位置）より回転中心（揺動中心）が下側に位置するため、刃ヘッド部全体の質量が揺動を助ける力となって働くために、肌への押し付け力を助ける方向の力となって働き、刃ヘッドブロック１の追従性をよくできる。
【００５１】
次に図１７乃至図１９に示す実施の形態の例について述べる。本例も上記例と基本的に同じであり、異なる点だけ主に述べる。上記例では刃ヘッド部である刃ヘッドブロック１が左右に回動して揺動すると共に上下動するようになっているが、本例は刃ヘッドブロック１が上下動せずに左右に揺動するようになっている。ヘッドケース７の前面の突起部３４間の中間部分にボス９１を突設してあり、前のグリップケース２５ａの突出面３５の開口部７４の上に設けた軸穴９２にボス９１を回転自在に嵌合してあり、ボス９１に固定ねじ９３を螺合して固定してある。
【００５２】
また上記例ではヘッド支持部材３１の上端の穴３３に突起部３４を回転自在に連結したが、本例ではヘッド支持部材３１の上端面を突起部３４に当接してあるだけである。
【００５３】
この場合も、刃ヘッドブロック１の重心位置より回転中心（揺動中心）であるボス９１が下側に位置するため、刃ヘッド部全体の質量が揺動を助ける力となって働くために、肌への押し付け力を助ける方向の力となって働き、刃ヘッドブロック１の追従性をよくできる。
【００５４】
なお、上記実施の形態の例では外刃８に対して内刃５が左右に摺動するように内刃５を摺接させると共に内刃５をモータ４で左右に往復駆動する往復式の刃を刃ヘッド部としての刃ヘッドブロック１に設けた例について述べたが、内刃５が回転駆動されるロータリー式の刃を刃ヘッドブロック１に設けたものでも同様に実施できる。
【００５５】
【発明の効果】
本発明の請求項１や請求項２の発明は、刃ヘッド部が左右に揺動し得るように刃ヘッド部をグリップ部に揺動自在に連結し、刃ヘッド部が揺動する揺動中心が刃ヘッド部の重心位置より下側に設けられたので、刃ヘッド部の重心付近よりも下で刃ヘッド部全体を揺動自在に支持することにより、刃ヘッド部全体の質量が揺動を助ける力となって働くために、少ない肌への押し付け力であっても刃ヘッド部の揺動がスムーズに行われ、従って、どのような剃り方をしても刃ヘッド部の剃り部を肌にスムーズに追従させることができ、髭の剃り残しの少なくできるものであり、またグリップ部に対する刃ヘッド部の揺動をスムーズに行えることによりグリップ部の握る向きを変えたりしなくても、肌に沿って追従させることができて髭剃り時に腕に負担を掛けたりすることなく楽にできるものである。
【００５６】
加えて、各ヘッド支持部材を刃ヘッド部に対して前後軸を回転中心として回転自在に結合するとともに、各ヘッド支持部材を上方にばね付勢させながらグリップ部に上下動自在に支持させることで、刃ヘッド部をグリップ部に対して揺動自在且つ上下動自在に連結させてあるので、前後両側のヘッド支持部材により確実に刃ヘッド部を支持しながらも、肌への追従性を向上すると共に、肌への衝撃を緩和することにより肌当りを柔らかくし、滑らかな剃り心地が得られる。なお、刃ヘッド部は、前後軸を回転中心とする回転と上下動以外の動きには確実に規制されるために、簡単な構成でスムーズな刃ヘッド部の動きを実現できるものである。
【００５７】
また本発明の請求項３の発明は、請求項１または請求項２において、刃ヘッド部の左右方向の幅がグリップ部の上部の左右方向の幅よりも大きく形成されているので、刃ヘッド部の動きを大きくでき、肌への追従性を向上できるものである。
【００５８】
また本発明の請求項４の発明は、請求項１乃至３のいずれか一項において、ヘッド支持部材を１つの面に対して２つ以上設けたので、刃ヘッド部への外力がない状態において、常に刃ヘッド部の傾きを中立に保つことが可能となり、肌に対しての当て角が安定するものである。
【００５９】
また本発明の請求項５の発明は、請求項４において、刃ヘッド部が回転する方向のヘッド支持部材間のピッチを刃ヘッド部の全幅の半分以下としたので、上方に刃ヘッド部を付勢するばね力が回転力に及ぼす力を小さくすることができ、肌への追従性を向上させることができるものである。
【００６０】
また本発明の請求項６の発明は、請求項１乃至５のいずれか一項において、グリップ部の左右方向と直交する方向を前後方向とし、グリップ部の前後面の上端から刃ヘッド部の前後面にオーバーラップする突出面を形成したので、刃ヘッド部の高さが高い場合においてもグリップ部を握っている手の指が刃ヘッド部に当ったりすることなく、スムーズな刃ヘッド部の動きを実現できるものである。
【００６１】
また本発明の請求項７の発明は、請求項６において、突出面の内面に刃ヘッド部の支持を行う支持部を形成したので、刃ヘッド部の回転支持部近辺にてヘッド支持部材をガイドすることができ、グリップ部に対する刃ヘッド部のガタツキ等を抑えることができるものである。
【００６２】
また本発明の請求項８の発明は、請求項１乃至７のいずれか一項において、前後のヘッド支持部材を一体としたので、前後のガタツキなく刃ヘッド部を支持することができるものである。
【００６３】
また本発明の請求項９の発明は、請求項１乃至８のいずれか一項において、グリップ部の左右方向と直交する方向を前後方向とし、グリップ部の前後面上端から刃ヘッド部の前後面にオーバーラップする突出面を形成し、ヘッド支持部材とは別に、突出面と刃ヘッド部の前後方向のガイド部材を設けたので、片側の突出面に対して前後方向の位置決めを確実に行なえるようになり、前後方向のガタツキを低減することができるものである。
【図面の簡単な説明】
【図１】  本発明の実施の形態一例の全体の分解斜視図である。
【図２】  同上の刃ヘッドブロックの分解斜視図である。
【図３】  同上の正面図である。
【図４】  同上の正面から見た断面図である。
【図５】  図４の刃ヘッドブロックも破断した断面図である。
【図６】  同上の動作状態を説明する正面図である。
【図７】  同上の動作状態を説明する正面図である。
【図８】  同上の動作状態を説明する正面図である。
【図９】  同上のグリップブロックの一部の分解斜視図である。
【図１０】  同上の他の例の全体を示す一部分解斜視図である。
【図１１】  同上の正面図である。
【図１２】  同上の全体の分解斜視図である。
【図１３】  図１２とは異なる方向から見た分解斜視図である。
【図１４】  同上の刃ヘッドブロックの分解斜視図である。
【図１５】  （ａ）は図１１の一部省略断面図、（ｂ）は（ａ）の状態から刃ヘッドブロックが傾動した状態の一部省略断面図、（ｃ）は（ａ）の状態から刃ヘッドブロックが下降した状態の一部省略断面図である。
【図１６】  同上のばねブロックの分解斜視図である。
【図１７】  同上のさらに他の例を示し、（ａ）は一部切欠正面図、（ｂ）は（ａ）のＸ−Ｘ線断面図、（ｃ）は正面から見た断面図、（ｄ）は（ｂ）のＹ部拡大断面図である。
【図１８】  同上の分解斜視図である。
【図１９】  図１８の前のグリップケースの他の方向から見た斜視図である。
【符号の説明】
１  刃ヘッドブロック
２  グリップブロック
４  モータ
５  内刃
６  外刃ブロック
７  ヘッドケース
８  外刃
１４  リード線
２５  グリップケース
２６  電池
３１  ヘッド支持部材
３５  突出面
３６  ガイド溝
５０  ゴムチューブ
５３  ヘッド係止部材
【図１】
0003945376.tif 000002
【図２】
0003945376.tif 000003
【図３】
0003945376.tif 000004
【図４】
0003945376.tif 000005
【図５】
0003945376.tif 000006
【図６】
0003945376.tif 000007
【図７】
0003945376.tif 000008
【図８】
0003945376.tif 000009
【図９】
0003945376.tif 000010
【図１０】
0003945376.tif 000011
【図１１】
0003945376.tif 000012
【図１２】
0003945376.tif 000013
【図１３】
0003945376.tif 000014
【図１４】
0003945376.tif 000015
【図１５】
0003945376.tif 000016
【図１６】
0003945376.tif 000017
【図１７】
0003945376.tif 000018
【図１８】
0003945376.tif 000019
【図１９】
0003945376.tif 000020